(57)【特許請求の範囲】
【請求項１】
ロール状の媒体を保持するための保持部材と、
前記保持部材に移動可能に取り付ける複数の支持部材と、
を備えたロール媒体保持機構において、
前記ロール状の媒体の芯管の径が大きい場合には、前記支持部材が前記保持部材の軸芯部の外周面と前記芯管の内周面とに当接し、
前記ロール状の媒体の芯管の径が小さい場合には、前記支持部材を回動させて前記芯管の端部が前記支持部材に当接して前記支持部材の退避位置を規制する構成としてなる、
ことを特徴とするロール媒体保持機構。
【請求項２】
請求項１に記載のロール媒体保持機構において、
前記支持部材は前記ロール状の媒体の芯管への当接部を有し、
該当接部は、前記支持部材が前記退避位置にあるときに、前記当接部が前記支持部材より前記ロール状の媒体側へ突き出た位置にあり、また前記支持部材の回動中心よりも半径方向で外側に位置する、
ことを特徴とするロール媒体保持機構。
【請求項３】
請求項２に記載のロール媒体保持機構において、
前記支持部材の当接部は芯管の外径より低い位置にある、
ことを特徴とするロール媒体保持機構。
【請求項４】
請求項２に記載のロール媒体保持機構において、
前記ロール紙の芯管が該ロール紙の端面よりも内側にある場合でも、前記退避状態にある前記支持部材の当接部が、前記ロール紙の芯管と当接する突き出し量を有する、
ことを特徴とするロール媒体保持機構。
【請求項５】
請求項１から４のいずれかに記載のロール媒体保持機構において、
前記ロール状の媒体の芯管の径が大きく、前記支持部材が前記保持部材の軸芯部の外周面と前記芯管の内周面とに当接している時、前記当接部を収納可能な逃げ部を前記保持部材の軸芯部に設けてある、
ことを特徴とするロール媒体保持機構。
【請求項６】
請求項１から５のいずれかに記載のロール媒体保持機構を備えたことを特徴とするロール給紙装置。
【請求項７】
画像形成部と、請求項６に記載のロール給紙装置を備えたことを特徴とする画像形成装置。
【請求項８】
画像形成部と、請求項１から５のいずれかに記載のロール媒体保持機構を備えたことを特徴とする画像形成装置。
【発明の詳細な説明】
【技術分野】
【０００１】
本発明は、ロール媒体保持機構、これを用いたロール給紙装置、及びこの給紙装置を搭載したプリンタ、プロッタ、ファクシミリ、複写機などの画像形成装置画像形成装置に関する。
【背景技術】
【０００２】
図８は従来のロール媒体保持機構の一例を示す断面図である。図中１０ａはロール紙、１０ｂはロール紙芯管、１２ａは軸芯部、１２ｂはガイド部、１３は、駆動軸、１４は支持部材、１５は弾性部材である。この機構では、ロール紙１０ａの芯管１０ｂの径が小さい場合には支持部材１４を回動させ（回動支点１４ａ）、ロール紙１０ａの端部よりも外側に退避させる（図の下側の支持部材１４参照）。しかしながら、支持部材１４をロック機構（図示せず）によりその位置を規制していても、十分にロックされていない状態でセットした場合や、ユーザーによりロール紙１０ａをセットする時にロックがはずれてしまった場合には、支持部材１４がロール紙１０ａの端部より内側に倒れてしまい（図の上側の支持部材１４参照）、例えば図中矢印Ｄで示す部分のようにロール紙１０ａにダメージを与えることがある。
【発明の概要】
【発明が解決しようとする課題】
【０００３】
そこで本発明は、支持部材のロック機構を設けなくても支持部材の位置を規制により支持部材の移動を防止できる機構を提供することを目的とする。
【課題を解決するための手段】
【０００４】
本発明のロール媒体保持機構は、ロール状の媒体を保持するための保持部材と、前記保持部材に移動可能に取り付ける複数の支持部材と、を備えたロール媒体保持機構において、前記ロール状の媒体の芯管の径が大きい場合には、前記支持部材が前記保持部材の軸芯部の外周面と前記芯管の内周面とに当接し、前記ロール状の媒体の芯管の径が小さい場合には、前記支持部材を回動させて前記芯管の端部が前記支持部材に当接して前記支持部材の退避位置を規制する構成としてなることを特徴とする。
【発明の効果】
【０００５】
本発明によれば、支持部材のロック機構を設けなくても支持部材の位置を規制し、支持部材が移動してしまうことを防止できる。
【図面の簡単な説明】
【０００６】
【図１】本発明の実施対象となる画像形成装置の一例の全体構成を示す斜視図
【図２】同概念的断面図
【図３】本発明に係るロール媒体保持機構で用いるフランジを示す斜視図
【図４】芯管の内径が大きいロール紙をフランジに取り付けた状態を示す図（Ａ）と拡大図（Ｂ）
【図５】芯管の内径が小さいロール紙をフランジに取り付けた状態を示す図
【図６】支持部材と支持部材当接部と支持部材の回動支点の退避位置における位置関係を示す図
【図７】ロール紙の芯管が端面よりも駆動軸の軸方向で奥側に入っている状態での支持部材当接部の位置を示す図
【図８】従来のロール媒体保持機構の一例を示す断面図
【発明を実施するための形態】
【０００７】
以下、本発明の実施形態を図面を参照して説明する。なお以下では図９に示した従来の例と共通する要素には共通する符号を付して説明する。
【０００８】
図１は、本発明の実施対象となる画像形成装置の一例の全体構成を示す斜視図、図２は、同じく概念的断面図である。図示の例の画像形成装置は、スプール軸受け台１０１ａ、１０１ｂが、長尺の用紙が巻回されてなるシートロールとしてのロール紙１０ａ１、１０ａ２（以下、特に必要がなければ、単にロール紙１０ａと記載する）から用紙１０をそれぞれ繰り出し可能に支持するシートロール支持部としての機能、構成を有している。また、上下方向Ｚと直交する前後方向Ｘに示すように、図１における装置本体１の左側に向く「前」側が前面１Ｆ（正面）側であり、右側を向く「後」側が後（奥）側である。また上下方向Ｚおよび前後方向Ｘに直交するとともに図１の紙面を貫通する方向が主走査方向Ｙ（図２参照）であり、シート幅方向（用紙幅方向）に相当する。
【０００９】
画像形成部３は、インクジェット記録方式で画像形成を行う構成のものである。図２に示すように、図示の装置は、インクジェット記録装置であり、かつシリアル型インクジェット記録装置である。
【００１０】
装置本体１の内部の画像形成部３に対応した部位には、ガイドロッド１８およびガイドレール１９が装置本体１内の図示しない側板に掛け渡してある。これらのガイドロッド１８およびガイドレール１９には、キャリッジ２０が主走査方向Ｙに摺動可能に保持してある。キャリッジ２０には、ブラック（Ｋ）、イエロー（Ｙ）、マゼンタ（Ｍ）、シアン（Ｃ）の各色のインク滴を吐出する液体吐出ヘッドである液体記録ヘッド（図示せず）が搭載してある。また各液体記録ヘッドには、図示しないが、各液体記録ヘッドにインクを供給するサブタンクを一体的に備えている。
【００１１】
キャリッジ２０を主走査方向Ｙに移動走査する主走査機構は、主走査方向Ｙの一方側（図において左斜め上方）に配置した駆動モータ２１と、この駆動モータ２１の出力軸に連結し、駆動モータ２１によって回転駆動される駆動プーリ２２と、主走査方向Ｙの他方側（図において右斜め下方）に配置した従動プーリ２３と、駆動プーリ２２と従動プーリ２３との間に巻き掛けたベルト部材２４とを備えている。従動プーリ２３には、図示しないテンションスプリングによって外方、すなわち駆動プーリ２２から離れる方向にテンションを掛けている。
【００１２】
ベルト部材２４は、キャリッジ２０背面側に設けたベルト固定部にその一部分を固定保持してあり、それによりキャリッジ２０を主走査方向Ｙに牽引するようになっている。
【００１３】
キャリッジ２０の主走査方向Ｙに沿ってキャリッジ２０の主走査位置を検知するためのエンコーダシート（図示せず）が配置してあり、キャリッジ２０に設けたエンコーダセンサ（図示せず）によって、上述のエンコーダシートを読み取る。このキャリッジ２０における主走査領域のうち、記録領域では上段のロール紙１０ａまたは下段のロール紙１０ａから後述するように繰り出され、搬送されてきた用紙１０が、図示しない紙送り機構によってキャリッジ２０の移動方向である主走査方向Ｙと直交する副走査方向（図１の前後方向Ｘのうちの前方向Ｘａである）に間欠的に搬送される。
【００１４】
また、主走査領域のうちの一方の端部側領域（図において右斜め下方側）には、キャリッジ２０内の各液体記録ヘッドの維持回復を行う維持回復機構２５が配置してあり、さらに、各液体記録ヘッドのサブタンクに供給する各色のインクを収容したメインカートリッジ２６が装置本体１に対して着脱自在に装着してある。
【００１５】
また図１に示すように、画像形成部３で画像が記録された用紙を所定の長さに切断するシート切断手段としてのカッタ２７が配置してある。このカッタ２７は、複数のプーリ（そのうちの１つのプーリは駆動モータ２１に連結している）間に掛け渡したワイヤやタイミングベルトに固定してあり、駆動モータ２１によりプーリを介してワイヤやタイミングベルトが主走査方向Ｙに移動することで用紙を所定の長さに切断する公知のものである。
【００１６】
図３は、本発明に係るロール媒体保持機構で用いるフランジを示す斜視図である。図示のように、フランジ１２はロール紙１０ａの芯管１０ｂの内周と当接して支持する軸芯部１２ａと、ロール紙１０ａの端面１０ｃと当接するガイド部１２ｂとにより構成してある。これら、軸芯部１２ａとガイド部１２ｂは、一体で形成しても、別体で形成してもどちらでも良い。
【００１７】
またフランジ１２には、半径方向に開閉する支持部材１４が周方向で複数箇所に設けてある（図では３個設けてあるが、数はこの例に限定されない）。支持部材１４は、ガイド部１２ｂの内部に周方向に回動支点１４ａを持ち、回動して開閉するようになっている。これにより、軸芯部１２ａの径が可変となっている。
【００１８】
図４は、芯管１０ｂの内径が大きいロール紙１０ａをフランジ１２に取り付けた状態を示す図（Ａ）と拡大図（Ｂ）である。支持部材１４は、軸芯部１２ａ側の面に、駆動軸１３側へ突出する支持部材当接部１４ｂが形成してある。また、支持部材１４を軸芯部１２ａに向けて倒したときに、支持部材当接部１４ｂが軸芯部１２ａと干渉しないように、軸芯部１２ａの支持部材当接部１４ｂと対応する部位を、図示のように凹部（支持部材当接部１４ｂの収納部である）として形成してある。
【００１９】
この状態の時、支持部材当接部１４ｂは、ガイド部１２ｂの凹部（収納部１２ｃ）に収められ、収納部１２ｃの半径方向の大きさ（図示の例では弾性部材１５も含めた寸法）が支持部材当接部１４ｂの高さ寸法（径方向の寸法）より図示のように大きいため、支持部材当接部１４ｂをフランジ１２の軸芯部１２ａに接触させることなく収納できる。したがって、支持部材１４を軸芯部１２ａと対向するように倒すことができる。またこの時、支持部材１４はロール紙１０ａの芯管１０ｂの内周面とフランジ１２の軸芯部１２ａ上の弾性部材１５との間に挟みこまれる。
【００２０】
図５は、芯管１０ｂの内径が小さいロール紙１０ａをフランジ１２に取り付けた状態を示す図である。この状態の時、支持部材１４は、フランジ１２のガイド部１２ｂ内に収納された状態にあり、図示のように支持部材当接部１４ｂがガイド部１２ｂのロール紙１０ａ側の面から外側へ飛び出した状態にある。
【００２１】
図６は、支持部材１４と支持部材当接部１４ｂと支持部材１４の回動支点１４ａの退避位置における位置関係を示す図である。この状態の時、支持部材当接部１４ｂは支持部材１４から所定距離ａだけ突き出ており、支持部材１４の回動支点１４ａより半径方向で外側の位置にある。また支持部材当接部１４ｂは、ロール紙１０ａの芯管１０ｂと同じ高さになる位置にあり、芯管１０ｂと支持部材当接部１４ｂとが当接するように設定してある。したがって、支持部材１４の上端が図中で左側へ倒れてきてロール紙１０ａの側面に接触することが防がれるようになっている。
【００２２】
図７はロール紙１０ａの芯管１０ｂが端面１０ｃよりも駆動軸１３の軸方向で奥側（図中左側）に入っている状態で支持部材当接部１４ｂの位置を示す図である。この状態の時、支持部材当接部１４ｂの幅寸法（駆動軸１３の軸方向での寸法を言う）がロール紙１０ａの芯管１０ｂが端面１０ｃから奥まっている距離ｃよりも大きい幅（芯管１０ｂの端部に当接できる位置まで突き出す寸法）となっていれば、ロール紙１０ａの端面１０ｃに支持部材１４が接触することなくロール紙１０ａの端面１０ｃを抑えることができる。なお支持部材１４の先端部が図７でよくわかるように先端側（駆動軸１３の軸方向で奥側）が低くなる斜面状に形成してあるので、ロール紙１０ａの端面１０ｃにダメージを与えることなく抑えることが可能になっている。
【００２３】
なお支持部材当接部１４ｂが芯管１０ｂの外径より低い位置（芯管１０ｂの内径側）にある位置構成とすることで、ロール紙１０ａの端面１０ｃに支持部材当接部１４ｂが接触することを防げる。
【００２４】
またなお、本発明は以上説明した実施形態に限定されるものではなく、多くの変形が本発明の技術的思想内で当分野において通常の知識を有する者により可能である。
【符号の説明】
【００２５】
１        ：装置本体
３        ：画像形成部
１０      ：用紙
１０ａ、１０ａ１、１０ａ２  ：ロール紙
１０ｂ    ：芯管
１０ｃ    ：芯管の端面
１２      ：フランジ
１２ａ    ：軸芯部
１２ｂ    ：ガイド部
１２ｃ    ：収納部（凹部）
１３      ：駆動軸
１４      ：支持部材
１４ａ    ：回動支点
１４ｂ    ：支持部材当接部
１５      ：弾性部材
１８      ：ガイドロッド
１９      ：ガイドレール
２０      ：キャリッジ
２１      ：駆動モータ
２２      ：駆動プーリ
２３      ：従動プーリ
２４      ：ベルト部材
２５      ：維持回復機構
２６      ：メインカートリッジ
２７      ：カッタ
１０１ａ、１０１ｂ  ：スプール軸受け台
【先行技術文献】
【特許文献】
【００２６】
【特許文献１】特開２００７‐２９０８６４号公報
【図１】
0005849621.tif 000002
【図２】
0005849621.tif 000003
【図３】
0005849621.tif 000004
【図４】
0005849621.tif 000005
【図５】
0005849621.tif 000006
【図６】
0005849621.tif 000007
【図７】
0005849621.tif 000008
【図８】
0005849621.tif 000009